(57)【要約】      （修正有）【課題】本発明は、画像処理装置に設定データを送信したことに従って、情報処理装置の接続先を設定用ネットワークに接続する前に接続していたネットワークに戻す情報処理装置を提供する。【解決手段】複数のデバイス間でＺｉｇｂｅｅ(登録商標)通信を行うことが可能な管理者デバイス１０６は、接続中のＷＰＡＮから離脱した後、当該ＷＰＡＮから離脱したＭＦＰ３＿１０３、ＭＦＰ２＿１０２との間で、設定用ＷＰＡＮ  ＩＤを使用して、ＷＰＡＮとは異なる設定用ＷＰＡＮを構築するように無線接続し、無線接続されたＭＦＰ３＿１０３、ＭＦＰ２＿１０２に設定用ＷＰＡＮを介して設定データを送信する。設定変更後、ＭＦＰ２＿１０２、ＭＦＰ３＿１０３および管理者デバイス１０６は、設定変更以前に接続していたＷＰＡＮに再接続する。【選択図】図２
2018113695.tif 000002
【特許請求の範囲】
【請求項１】
画像処理装置に設定データを送信する情報処理装置であって、
前記画像処理装置から、設定用ネットワークのアドレスを受信する受信手段と、
前記情報処理装置の接続先を、前記受信手段によって受信したアドレスを用いて構築される設定用ネットワークに変更する接続手段と、
前記設定用ネットワークを介して前記画像処理装置に設定データを送信する送信手段とを備え、
前記送信手段によって前記設定データを送信したことに従って、前記接続手段は、前記情報処理装置の接続先を前記設定用ネットワークに接続する前に接続していたネットワークに戻すことを特徴とする情報処理装置。
【請求項２】
前記接続手段は、前記設定用ネットワークに接続する前に接続していたネットワークを示す情報に基づいて、前記情報処理装置の接続先を前記設定用ネットワークに接続する前に接続していたネットワークに戻すことを特徴とする請求項１に記載の情報処理装置。
【請求項３】
前記送信手段が送信する前記設定データは、電話帳データ、カウンタデータ、通信履歴データ、ユーザ設定データ、及び工場設定データのいずれかであることを特徴とする請求項１または２に記載の情報処理装置。
【請求項４】
前記設定用ネットワークは、無線通信ネットワークであることを特徴とする請求項１乃至３のいずれか１項に記載の情報処理装置。
【請求項５】
前記画像処理装置は、印刷データに基づいて印刷を行う印刷部を備えることを特徴とする請求項１乃至４のいずれか１項に記載の情報処理装置。
【請求項６】
画像処理装置に設定データを送信する情報処理装置の制御方法であって、
前記画像処理装置から、設定用ネットワークのアドレスを受信し、
前記情報処理装置の接続先を、前記受信手段によって受信したアドレスを用いて構築される設定用ネットワークに変更し、
前記設定用ネットワークを介して前記画像処理装置に設定データを送信し、
前記設定データを送信したことに従って、前記情報処理装置の接続先を前記設定用ネットワークに接続する前に接続していたネットワークに戻すことを特徴とする情報処理装置の制御方法。
【請求項７】
請求項６に記載の制御方法をコンピュータに実行させるためのプログラム。
【発明の詳細な説明】
【技術分野】
【０００１】
本発明は、情報処理装置及びその制御方法、並びにプログラムに関し、特に、短距離無線通信を行うワイヤレス・パーソナル・エリア・ネットワーク（以下、「ＷＰＡＮ」とも表記する）に接続されたデバイス間の通信制御技術に関する。
【背景技術】
【０００２】
ＷＰＡＮを構築する場合の通信方式として、例えば、２５０Ｋｂｐｓという低速の伝送速度ながら低コスト、低消費電力であるＩＥＥＥ８０２．１５．４が利用されている。これらは、ＩｒＤＡやＢｌｕｅｔｏｏｔｈ(登録商標)、Ｚｉｇｂｅｅ(登録商標)と呼ばれ、今後の利用の拡大が見込まれている技術である。
【０００３】
ところで、従来、ネットワーク参加の動作を軽減するため、各デバイスに予めＩＤを登録しておくといった技術が提案されている（特許文献１）。また、複数の無線ネットワークが利用可能なネットワーク・フレーム周期を設定し、複数のチャンネルスロットを用意して、複数のネットワークの共存を実現する技術が提案されている（特許文献２）。
【先行技術文献】
【特許文献】
【０００４】
【特許文献１】特開２００９−１７１４０７号公報
【特許文献２】特開２００３−３０９５７２号公報
【発明の概要】
【発明が解決しようとする課題】
【０００５】
しかしながら、特許文献１では、デバイスとそれを管理可能なデバイスとの間で当該デバイスの設定を行う際に適切なトポロジーで構成されていなかった場合、設定データ等がネットワーク内の他のデバイスに伝送され、セキュリティが保てないという課題がある。さらに、設定データ等が、ツリー構造を有するネットワーク上の他のデバイスに順次伝送されることにより、通信トラフィックが増大するおそれがある。
【０００６】
また、特許文献２では、複数の独立したネットワークを共存させるために、フレーム周期の設定やチャンネルスロットの確保といった管理をしなければならず、多くのリソースが必要となっている。
【０００７】
本発明は、画像処理装置に設定データを送信したことに従って、情報処理装置の接続先を設定用ネットワークに接続する前に接続していたネットワークに戻すことを目的とする。
【課題を解決するための手段】
【０００８】
上記目的を達成するために、本発明の情報処理装置は、画像処理装置に設定データを送信する情報処理装置であって、前記画像処理装置から、設定用ネットワークのアドレスを受信する受信手段と、前記情報処理装置の接続先を、前記受信手段によって受信したアドレスを用いて構築される設定用ネットワークに変更する接続手段と、前記設定用ネットワークを介して前記画像処理装置に設定データを送信する送信手段とを備え、前記送信手段によって前記設定データを送信したことに従って、前記接続手段は、前記情報処理装置の接続先を前記設定用ネットワークに接続する前に接続していたネットワークに戻すことを特徴とする。
【発明の効果】
【０００９】
本発明によれば、画像処理装置に設定データを送信したことに従って、情報処理装置の接続先を設定用ネットワークに接続する前に接続していたネットワークに戻すことができる。
【図面の簡単な説明】
【００１０】
【図１】本発明の実施形態に係るデバイス（情報処理装置）を含む無線通信システムの通常動作（または待機）時のネットワークトポロジーの一例を示す図である。
【図２】管理者デバイスが設定変更モードに移行した場合のネットワークトポロジーの一例を示す図である。
【図３】図１におけるＭＦＰのハードウェア構成を示すブロック図である。
【図４】設定変更モードに移行したときのＭＦＰと管理者デバイスの動作処理を示すフローチャートである。
【図５】管理者デバイスとＭＦＰ間の無線接続動作を示す図である。
【図６】管理者デバイスとＭＦＰ間のデータ送信動作を示す図である。
【図７】管理者デバイスとＭＦＰ間の再接続処理の流れを示すフローチャートである。
【図８】他の実施形態におけるネットワークトポロジーの一例を示す図である。
【発明を実施するための形態】
【００１１】
以下、本発明の実施の形態を図面を参照して詳細に説明する。
【００１２】
図１は、本発明の実施形態に係るデバイス（情報処理装置）を含む無線通信システムの通常動作（または待機）時のネットワークトポロジーの一例を示す図である。
【００１３】
図中の各デバイスは、無線通信ネットワークに接続可能で、Ｚｉｇｂｅｅ(登録商標)通信を行うことができる。ＰＣ（Ｃｏ１）１００は、図示のＷＰＡＮを管理するコーディネータであり、ネットワークのトポロジーを構築する。ＭＦＰ１（Ｒ１０）１０１は、ＰＣ１００に接続されたルータであり、他のルータであるＭＦＰ３（Ｒ１１）１０３、エンドデバイスの操作パネル１（ＥＤ１１）１０４、操作パネル２（ＥＤ１２）１０５に接続される。ＭＦＰ２（Ｒ２０）１０２は、ＰＣ１００と接続されている。なお、本実施形態において、操作パネル１＿１０４と操作パネル２＿１０５は、Ｚｉｇｂｅｅ(登録商標)通信により、ＭＦＰ１＿１０１、ＭＦＰ２＿１０２、ＭＦＰ３＿１０３の操作が可能である。管理者デバイス（ＥＤ１１１）１０６は、ＭＦＰ３＿１０３、ＭＦＰ２＿１０２を管理可能であると共に、各種設定を行うことができるデバイスである。
【００１４】
このような無線通信システムにおけるデータ通信の一例として、ユーザが操作パネル１＿１０４からＭＦＰ３＿１０３を操作する場合のデータの流れを説明する。
【００１５】
操作パネル１＿１０４から入力された操作情報（例えば、省電力モードからの復帰指示を示すデータ）は、Ｚｉｇｂｅｅ(登録商標)通信により、ＭＦＰ３＿１０３のアドレスと一緒にＭＦＰ１＿１０１に送信される。ＭＦＰ１＿１０１は、操作パネル１＿１０４から受信したデータをＭＦＰ３＿１０３に転送する。ＭＦＰ３＿１０３は、受信したデータにより省電力モードから復帰する。以上の様に、トポロジーに従ってデータ通信が行われる。
【００１６】
図２は、図１に示すＷＰＡＮにおいて、管理者デバイス１０６が設定変更モードに移行した場合のネットワークトポロジーの一例を示す図である。
【００１７】
図２において、管理者デバイス１０６は、管理者から設定変更モードへの移行指示を受け付けるとコーディネータ（Ｃｏ２）に切り替わり、ＭＦＰ２＿１０２、ＭＦＰ３＿１０３とスター型のネットワークを再構築する。これにより、設定データが管理者デバイス１０６から各ＭＦＰ（ＭＦＰ２＿１０２、ＭＦＰ３＿１０３）へ直接伝送される。一方、ＭＦＰ１＿１０１等の他のデバイスは、通常動作時と同じＷＰＡＮに接続し続ける。
【００１８】
図３は、図１における各デバイスのハードウェア構成を示すブロック図である。なお、管理者デバイスも図示と同様の構成を有することから、その説明は省略する。
【００１９】
７０は装置全体を示す。７０１はコントローラ部である。コントローラ部７０１には、ＣＰＵを内蔵し、装置制御プログラムを実行して各部を制御するＳＯＣ７０２を備える。７０３は、装置の圧縮されたプログラムまたは固有データ等を格納するＦＬＡＳＨ  ＲＯＭである。
【００２０】
７０４は、ＦＬＡＳＨ  ＲＯＭ７０３内の圧縮したプログラムを解凍して保存したり、画像データ等を一時的に保存するＤＲＡＭである。
【００２１】
７０５は、外部のＰＣ等と接続して、データの送受信を行う外部Ｉ／Ｆ部である。外部Ｉ／Ｆ部７０５は、ＵＳＢケーブルやＬＡＮ等を介してＰＣ等に接続する。
【００２２】
７０６は、ＷＰＡＮ上の他のデバイスとＺｉｇｂｅｅ(登録商標)通信を行うためのＺｉｇｂｅｅ(登録商標)部である。７０７は操作表示部であり、装置７０の状態を表示したり、装置の設定値や指示に関するユーザからの入力を受け付ける。
【００２３】
７０８は、読取部７１０とＳＯＣ７０２とを接続するための読取Ｉ／Ｆ部である。ＳＯＣ７０２は、読取Ｉ／Ｆ部７０８を介して読取部７１０を制御し、読取部７１０で読み取った画像データを処理して、ＤＲＡＭ７０４に保存する。
【００２４】
７０９は、エンジン部７１１(印刷部)とＳＯＣ７０２とを接続するためのエンジンＩ／Ｆ部である。ＳＯＣ７０２は、エンジンＩ／Ｆ部を介してエンジン部７１１を制御する。エンジン部７１１は、ＳＯＣ７０２からエンジンＩ／Ｆ部７０９を介して受信した印刷データに基づいて印刷処理を行う。
【００２５】
次に、設定変更モードに移行したときのＭＦＰと管理者デバイスの動作処理について説明する。
【００２６】
図４は、設定変更モードに移行したときのＭＦＰと管理者デバイスの動作処理を示すフローチャートである。
【００２７】
図４において、ステップＳ１０１では、管理者デバイス１０６内のＳＯＣ７０２が、操作表示部７０７からＭＦＰ３＿１０３、ＭＦＰ２＿１０２の設定値を変更するモード（設定変更モード）への移行指示を管理者が行ったかどうかを判定する。設定変更モードへの移行指示があった場合には、ステップＳ１０２に進む。本実施形態では、管理者デバイス１０６により管理されるデバイスをＭＦＰ３＿１０３、ＭＦＰ２＿１０２として説明する。
【００２８】
ステップＳ１０２では、管理者デバイス１０６内のＳＯＣ７０２が、Ｚｉｇｂｅｅ(登録商標)部７０６を制御し、離脱命令（ｌｅａｖｅ  ｃｏｍｍａｎｄ）をネットワーク内にブロードキャストし、接続中のＷＰＡＮ（第１の無線通信ネットワーク）から離脱する。ここでいうブロードキャストとは、ＷＰＡＮに接続されたすべてのネットワークデバイスに対して同時に同じデータを送信することである。ステップＳ１０２では、管理者デバイス１０６内のＺｉｇｂｅｅ(登録商標)部７０６が第１の離脱手段として機能する。
【００２９】
管理者デバイス１０６からの離脱命令をＺｉｇｂｅｅ(登録商標)部７０６を介して受信したＭＦＰ３＿１０３、ＭＦＰ２＿１０２内のＳＯＣ７０２は、管理者デバイス１０６が、接続中のＷＰＡＮ（第１の無線通信ネットワーク）から離脱することを認識する。これにより、管理者デバイス１０６が設定変更モードに移行したと認識する。
【００３０】
次に、ステップＳ１０３では、管理者デバイス１０６から設定変更可能なデバイスは、管理者デバイス１０６からの設定データを受信するために接続中のＷＰＡＮから離脱する。すなわち、ＭＦＰ２＿１０２、ＭＦＰ３＿１０３内のＳＯＣ７０２は、Ｚｉｇｂｅｅ部(登録商標)７０６を制御し、離脱命令を接続中のＷＰＡＮにブロードキャストする。これにより、ＭＦＰ３＿１０３、ＭＦＰ２＿１０２はＷＰＡＮ（ここでは第１の無線通信ネットワーク）から離脱する。ステップＳ１０３では、ＭＦＰ２＿１０２、ＭＦＰ３＿１０３内のＺｉｇｂｅｅ(登録商標)部７０６が第２の離脱手段として機能する。
【００３１】
ステップＳ１０４では、管理者デバイス１０６内のＳＯＣ７０２は、設定用ＷＰＡＮ  ＩＤ（設定用ネットワークＩＤ）を使用し、Ｚｉｇｂｅｅ(登録商標)部７０６を制御し、設定用ＷＰＡＮ（第２の無線通信ネットワーク）を構築する。
【００３２】
設定用ＷＰＡＮのコーディネータ（Ｃｏ２）となった管理者デバイス１０６と、ＭＦＰ２＿１０２、ＭＦＰ３＿１０３との設定用ＷＰＡＮの構築フローを図５に示す。図示の接続動作は、接続する各デバイスに対して実行される。このため、本実施形態では、管理者デバイス１０６とＭＦＰ２＿１０２間の無線接続動作についてのみ説明する（ＭＦＰ３＿１０３も同様の流れで接続される）。
【００３３】
図５において、Ｓ２０１では、管理者デバイス１０６内のＳＯＣ７０２は、Ｚｉｇｂｅｅ(登録商標)部７０６を制御し、ＭＦＰ２＿１０２に対してビーコン要求し、ＭＦＰ２＿１０２からのビーコンを待つ。
【００３４】
次に、Ｓ２０２では、ＭＦＰ２＿１０２内のＳＯＣ７０２は、Ｚｉｇｂｅｅ(登録商標)部７０６を制御し、ビーコンを送出後、Ｓ２０３にてアドレスを送信する。これを受け、Ｓ２０４では、管理者デバイス１０６内のＳＯＣ７０２は、Ｚｉｇｂｅｅ(登録商標)部７０６を制御し、ＭＦＰ２＿１０２へＡｃｋを送る。
【００３５】
次に、Ｓ２０５では、管理者デバイス１０６内のＳＯＣ７０２は、Ｚｉｇｂｅｅ(登録商標)部７０６を制御し、設定用ＷＰＡＮ  ＩＤを送信する。これを受けたＭＦＰ２＿１０２内のＳＯＣ７０２は、Ｚｉｇｂｅｅ(登録商標)部７０６を介して送られてきたＷＰＡＮ  ＩＤが設定用ＷＰＡＮ  ＩＤであることを確認し、Ａｃｋを送信する（Ｓ２０６）。
【００３６】
Ｓ２０７では、Ａｃｋを受けた管理者デバイス１０６内のＳＯＣ７０２は、Ｚｉｇｂｅｅ(登録商標)部７０６を制御し、ＭＦＰ２＿１０２に参加要求を送信する。これを受けたＭＦＰ２＿１０２内のＳＯＣ７０２は、Ｚｉｇｂｅｅ(登録商標)部７０６を制御し、Ａｃｋを送信して（Ｓ２０８）、設定用ＷＰＡＮが構築される。図５では、管理者デバイス１０６内のＺｉｇｂｅｅ(登録商標)部７０６が第１の接続手段として機能し、ＭＦＰ２＿１０２，ＭＦＰ３＿１０３内のＺｉｇｂｅｅ(登録商標)部７０６が第２の接続手段として機能する。
【００３７】
設定用ＷＰＡＮが構築された場合、図６に示すように、管理者デバイス１０６からＭＦＰ２＿１０２、ＭＦＰ３＿１０３に設定データを送信して、これらの設定を変更する。
【００３８】
図６において、Ｓ３０１では、管理者デバイス１０６内のＳＯＣ７０２は、Ｚｉｇｂｅｅ(登録商標)部７０６を制御し、ビーコンを送出する。これを受けたＭＦＰ２＿１０２内のＳＯＣ７０２は、Ｚｉｇｂｅｅ(登録商標)部７０６を制御し、データリクエストを管理者デバイス１０６に送信する（Ｓ３０２）。
【００３９】
管理者デバイス１０６内のＳＯＣ７０２は、Ｚｉｇｂｅｅ(登録商標)部７０６を制御して、ＡＣＫを送信する（Ｓ３０３）。その後、管理者デバイス１０６内のＳＯＣ７０２は、Ｚｉｇｂｅｅ(登録商標)部７０６を制御し、設定データをＭＦＰ２＿１０２に送信する（Ｓ３０４）。設定データを受信したＭＦＰ２＿１０２内のＳＯＣ７０２は、Ｚｉｇｂｅｅ(登録商標)部７０６を制御し、Ａｃｋを返信する（Ｓ３０５）。Ｓ３０４では、管理者デバイス１０６内のＺｉｇｂｅｅ(登録商標)部７０６が設定データ送信手段として機能する。
【００４０】
以上のように、管理者デバイスと各デバイスとの間でデータ通信を実行してデバイスの設定を行う。なお、設定用ＷＰＡＮにおいて設定するデータは、電話帳データ、カウンタデータ、通信履歴データ、ユーザ設定データ、工場設定データ等があるが、これらに限定されるものではない。
【００４１】
図４に戻り、ステップＳ１０５において、管理者デバイス１０６による各デバイスの設定が終了すると、管理者デバイス１０６内のＳＯＣ７０２は、Ｚｉｇｂｅｅ(登録商標)部７０６を制御し、設定終了を示すデータを送信する（ステップＳ１０６）。これを受けたＭＦＰ２＿１０２内のＳＯＣ７０２は、Ｚｉｇｂｅｅ(登録商標)部７０６を制御し、管理者デバイス１０６に離脱命令をブロードキャストし、設定用ＷＰＡＮから離脱する（ステップＳ１０７）。同様に、ＭＦＰ３＿１０３内のＳＯＣ７０２もＺｉｇｂｅｅ(登録商標)部７０６を制御し、設定用ＷＰＡＮから離脱する。その後、管理者デバイス１０６内のＳＯＣ７０２は、Ｚｉｇｂｅｅ(登録商標)部７０６を制御し、設定用ＷＰＡＮを解消する（ステップＳ１０８）。
【００４２】
次に、ステップＳ１０９にて、設定用ＷＰＡＮから離脱したデバイスであるＭＦＰ２＿１０２、ＭＦＰ３＿１０３と、設定終了後にコーディネータからエンドデバイスに戻った管理者デバイス１０６は、設定変更以前に接続していたＷＰＡＮに再接続する。ステップＳ１０９では、管理者デバイス１０６内のＺｉｇｂｅｅ(登録商標)部７０６が第１の再接続手段として機能し、ＭＦＰ２＿１０２、ＭＦＰ３＿１０３内のＺｉｇｂｅｅ(登録商標)部７０６が第２の再接続手段として機能する。
【００４３】
ここで、ＭＦＰ２＿１０２、ＭＦＰ３＿１０３と管理者デバイス１０６のＷＰＡＮへの再接続処理について図７を参照して説明する。なお、ＭＦＰ２＿１０２、ＭＦＰ３＿１０３、管理者デバイス１０６は、いずれも同様の処理を行うため、代表してＭＦＰ２＿１０２について説明する。
【００４４】
図７において、ステップＳ４０１では、ＭＦＰ２＿１０２内のＳＯＣ７０２は、Ｚｉｇｂｅｅ(登録商標)部７０６を制御し、設定変更以前に接続していたＷＰＡＮ  ＩＤを用いて、図５に示すスキャン動作を実行する。同時に、ステップＳ４０２にて、ＭＦＰ２＿１０２内のＳＯＣ７０２はタイマーを開始する。
【００４５】
ステップＳ４０３では、図５に示すスキャン動作が成功したか否かを判定し、スキャン動作が成功した場合、ＭＦＰ２＿１０２内のＳＯＣ７０２は、Ｚｉｇｂｅｅ(登録商標)部７０６を制御し、以前に接続していたＷＰＡＮに接続する（ステップＳ４０５）。一方、スキャン動作が成功せず（ステップＳ４０３でＮＯ）、タイマー終了した場合（ステップＳ４０４でＹＥＳ）、ＭＦＰ２＿１０２内のＳＯＣ７０２は、以前のＷＰＡＮに接続することなく終了する。
【００４６】
なお、管理者デバイス１０６については、デバイスではなく、ＭＦＰを設定制御するソフトウェアをインストールしたＺｉｇｂｅｅ(登録商標)通信可能なＰＣであってもよい。
【００４７】
本実施形態によれば、管理者デバイス１０６がＭＦＰの設定変更時に接続中の無線通信ネットワーク（図１）から離脱する。その後、ＭＦＰ２＿１０２，ＭＦＰ３＿１０３が接続中の無線通信ネットワークを離脱し、管理者デバイス１０６との間で設定用ＰＡＮが構築される（図２）。さらに、管理者デバイスとＭＦＰとの間で設定データの通信が行われ、ＭＦＰの設定が変更される。このように、管理者デバイスとそれに管理されるデバイスとが設定用の無線通信ネットワークを構築するように通信制御が行われることにより、機器のリソース使用を最小限に抑え、機器の設定等の情報を安全に通信することができる。
【００４８】
［他の実施形態］
以上、本発明の実施形態について説明したが、本発明は上記実施形態に限定されるものではなく、本発明の趣旨を逸脱、変更、改変等しない範囲において、種々に変形が可能である。
【００４９】
上記実施形態では、管理者デバイス（Ｃｏ２）１０６の管理下にあるＭＦＰ３＿１０３、ＭＦＰ２＿１０２の設定変更モード時には、各デバイスは図５に示す動作にて接続が行われる。
【００５０】
管理者デバイス１０６とＭＦＰ３＿１０３が一対一の接続にて設定を行う場合、ＭＦＰ２＿１０２の図５のＳ２０３の接続要求に対して、管理者デバイス１０６内のＳＯＣ７０２はＳ２０４でＡｃｋを送信しない。この結果、ＭＦＰ２＿１０２は、管理者デバイス１０６が構築する設定用ＷＰＡＮに接続できない。そこで、一定時間が経過した後、ＭＦＰ２＿１０２内のＳＯＣ７０２は、Ｚｉｇｂｅｅ(登録商標)部７０６を制御し、離脱前に接続していたＷＰＡＮに図７と同じ動作にて再接続する。
【００５１】
一方、ＭＦＰ３＿１０３は、図５に示す動作により管理者デバイス１０６内のＳＯＣ７０２と接続し、ＭＦＰ３＿１０３と一対一の接続となる。この状態を図８に示す。
【００５２】
また、管理者デバイス１０６がＭＦＰの設定変更時に、設定用ネットワークＩＤを用いることにより、設定用ＷＰＡＮを構築するための接続動作を簡易化することができる。なお、設定用ネットワークＩＤは、ＦＬＡＳＨ  ＲＯＭ７０３等に保持されている。
【００５３】
さらに、管理者デバイス１０６がＭＦＰの設定変更時にはコーディネータとなり、当該管理者デバイスに管理されるＭＦＰがエンドデバイスになる。このため、管理者デバイス１０６は、管理可能なＭＦＰとスター型のＷＰＡＮを構築することが可能となる。この結果、管理者デバイスとそれに管理されるＭＦＰが一対一で接続され、通信セキュリティの向上を図ることができる。
【００５４】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５５】
１００  ＰＣ
１０１，１０２，１０３  ＭＦＰ
１０４，１０５  操作パネル
１０６  管理者デバイス
７０１  コントローラ部
７０２  ＳＯＣ
７０６  Ｚｉｇｂｅｅ(登録商標)部
７０７  操作表示部
【図１】
2018113695.tif 000003
【図２】
2018113695.tif 000004
【図３】
2018113695.tif 000005
【図４】
2018113695.tif 000006
【図５】
2018113695.tif 000007
【図６】
2018113695.tif 000008
【図７】
2018113695.tif 000009
【図８】
2018113695.tif 000010